【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
ハードウェア機能を変更して印刷を行うハードウェア機能可変印刷装置であって、
書換可能なハードウェア領域を有する回路素子と、印刷データ処理機能を実現する回路を構成可能な回路構成情報を取得する回路構成情報取得手段と、前記回路構成情報取得手段で取得した回路構成情報に基づいて前記ハードウェア領域を再構成するハードウェア領域再構成手段と、前記回路構成情報取得手段で取得した回路構成情報を他の印刷装置に転送する回路構成情報転送手段と、処理対象データを取得する処理対象データ取得手段と、前記回路素子でデータ処理した印刷データに基づいて印刷を行う印刷実行手段とを備え、
前記処理対象データ取得手段で取得した処理対象データを、前記ハードウェア領域再構成手段による再構成を行った後に、前記回路素子でデータ処理するようになっていることを特徴とするハードウェア機能可変印刷装置。
【請求項２】
請求項１において、
前記処理対象データ取得手段は、印刷要求とともに前記処理対象データを取得するようになっており、
前記処理対象データ取得手段で取得した印刷要求が分散印刷を要求するものまたは所定以上の印刷枚数を印刷するものであるかを判定する印刷要求判定手段を備え、
前記回路構成情報転送手段は、前記印刷要求判定手段が分散印刷を要求するものまたは所定以上の印刷枚数を印刷するものであると判定したときは、前記回路構成情報を前記他の印刷装置に転送するようになっていることを特徴とするハードウェア機能可変印刷装置。
【請求項３】
請求項２において、
前記ハードウェア領域の構成状態を示すステータス情報を前記他の印刷装置から取得するステータス情報取得手段と、前記ステータス情報取得手段で取得したステータス情報に基づいて前記ハードウェア領域の再構成が必要であるかを判定する再構成可否判定手段とを備え、
前記回路構成情報転送手段は、前記印刷要求判定手段が分散印刷を要求するものまたは所定以上の印刷枚数を印刷するものであると判定し、かつ、前記再構成可否判定手段が前記ハードウェア領域の再構成が必要であると判定したときは、前記回路構成情報を前記他の印刷装置に転送するようになっていることを特徴とするハードウェア機能可変印刷装置。
【請求項４】
請求項２および３のいずれか１項において、
前記処理対象データ取得手段で取得した処理対象データを前記他の印刷装置に転送する処理対象データ転送手段を備え、
前記処理対象データ転送手段は、前記印刷要求判定手段が分散印刷を要求するものまたは所定以上の印刷枚数を印刷するものであると判定したときは、前記処理対象データを前記他の印刷装置に転送するようになっていることを特徴とするハードウェア機能可変印刷装置。
【請求項５】
請求項１において、
印刷に関する設定内容を示す印刷設定情報を取得する印刷設定情報取得手段と、前記印刷設定情報取得手段で取得した印刷設定情報に分散印刷を行う設定または所定以上の印刷枚数を印刷する設定が含まれるかを判定する印刷設定情報判定手段とを備え、
前記回路構成情報転送手段は、前記印刷設定情報判定手段が分散印刷を行う設定または所定以上の印刷枚数を印刷する設定が含まれると判定したときは、前記回路構成情報を前記他の印刷装置に転送するようになっていることを特徴とするハードウェア機能可変印刷装置。
【請求項６】
請求項５において、
前記ハードウェア領域の構成状態を示すステータス情報を前記他の印刷装置から取得するステータス情報取得手段と、前記ステータス情報取得手段で取得したステータス情報に基づいて前記ハードウェア領域の再構成が必要であるかを判定する再構成可否判定手段とを備え、
前記回路構成情報転送手段は、前記印刷設定情報判定手段が分散印刷を行う設定または所定以上の印刷枚数を印刷する設定が含まれると判定し、かつ、前記再構成可否判定手段が前記ハードウェア領域の再構成が必要であると判定したときは、前記回路構成情報を前記他の印刷装置に転送するようになっていることを特徴とするハードウェア機能可変印刷装置。
【請求項７】
請求項５および６のいずれか１項において、
前記処理対象データ取得手段で取得した処理対象データを前記他の印刷装置に転送する処理対象データ転送手段を備え、
前記処理対象データ転送手段は、前記印刷設定情報判定手段が分散印刷を行う設定または所定以上の印刷枚数を印刷する設定が含まれると判定したときは、前記処理対象データを前記他の印刷装置に転送するようになっていることを特徴とするハードウェア機能可変印刷装置。
【請求項８】
請求項２ないし７のいずれか１項において、
前記回路構成情報を記憶する回路構成情報記憶手段と、外部からの送信要求に応じて前記回路構成情報記憶手段の回路構成情報を前記他の印刷装置に送信する回路構成情報送信手段を有する転送代行装置と通信可能に接続し、
自己のハードウェア構成に関するハードウェア構成情報を記憶するハードウェア構成情報記憶手段と、ハードウェア構成に関するハードウェア構成情報を前記他の印刷装置から取得するハードウェア構成情報取得手段と、前記転送代行装置に前記送信要求を送信する送信要求手段とを備え、
前記送信要求手段は、前記ハードウェア構成情報記憶手段のハードウェア構成情報と、前記ハードウェア構成情報取得手段で取得したハードウェア構成情報とが異なると判定したときは、前記転送代行装置に前記送信要求を送信するようになっていることを特徴とするハードウェア機能可変印刷装置。
【請求項９】
請求項２ないし７のいずれか１項において、
前記回路構成情報を記憶する回路構成情報記憶手段と、外部からの送信要求に応じて前記回路構成情報記憶手段の回路構成情報を前記他の印刷装置に送信する回路構成情報送信手段を有する転送代行装置と通信可能に接続し、
自己の種別を識別するプリンタ種別ＩＤを記憶するプリンタ種別ＩＤ記憶手段と、前記他の印刷装置の種別を識別するプリンタ種別ＩＤを前記他の印刷装置から取得するプリンタ種別ＩＤ取得手段と、前記転送代行装置に前記送信要求を送信する送信要求手段とを備え、
前記送信要求手段は、前記プリンタ種別ＩＤ記憶手段のプリンタ種別ＩＤと、前記プリンタ種別ＩＤ取得手段で取得したプリンタ種別ＩＤとが異なると判定したときは、前記転送代行装置に前記送信要求を送信するようになっていることを特徴とするハードウェア機能可変印刷装置。
【請求項１０】
請求項２ないし９のいずれか１項において、
前記回路構成情報取得手段で取得した回路構成情報を第２回路構成情報記憶手段に登録する回路構成情報登録手段と、前記回路構成情報の識別情報を含む再構成命令を受信する再構成命令受信手段と、前記再構成命令受信手段で受信した再構成命令に含まれる識別情報をもとに前記第２回路構成情報記憶手段のなかから該当の回路構成情報を検索する回路構成情報検索手段とを備え、
前記ハードウェア領域再構成手段は、前記回路構成情報取得手段で取得した回路構成情報または前記回路構成情報検索手段で索出した回路構成情報に基づいて前記ハードウェア領域を再構成するようになっていることを特徴とするハードウェア機能可変印刷装置。
【請求項１１】
書換可能なハードウェア領域を有する回路素子と、印刷データ処理機能を実現する回路を構成可能な回路構成情報を取得する回路構成情報取得手段と、前記回路構成情報取得手段で取得した回路構成情報に基づいて前記ハードウェア領域を再構成するハードウェア領域再構成手段と、前記回路構成情報取得手段で取得した回路構成情報を他の印刷装置に転送する回路構成情報転送手段とを有する複数の印刷装置と、前記印刷装置に対して印刷を要求する印刷要求装置と、前記印刷データ処理機能を管理する印刷装置管理装置とを通信可能に接続し、前記印刷装置のハードウェア機能を変更して印刷を行うハードウェア機能可変印刷システムであって、
前記印刷要求装置は、分散印刷を行う複数の前記印刷装置を登録した印刷装置リストを前記印刷装置管理装置に送信する印刷装置リスト送信手段を有し、
前記印刷装置管理装置は、前記回路構成情報を記憶する回路構成情報記憶手段と、前記印刷装置リストを取得する印刷装置リスト取得手段と、前記印刷装置リスト取得手段で取得した印刷装置リストに登録されているいずれかの印刷装置に前記回路構成情報記憶手段の回路構成情報を送信する回路構成情報送信手段とを有することを特徴とするハードウェア機能可変印刷システム。
【請求項１２】
書換可能なハードウェア領域を有する回路素子と、印刷データ処理機能を実現する回路を構成可能な回路構成情報を取得する回路構成情報取得手段と、前記回路構成情報取得手段で取得した回路構成情報に基づいて前記ハードウェア領域を再構成するハードウェア領域再構成手段と、前記回路構成情報取得手段で取得した回路構成情報を他の印刷装置に転送する回路構成情報転送手段とを有する複数の印刷装置と通信可能に接続し、前記回路構成情報を記憶する回路構成情報記憶手段を備えるコンピュータに実行させるための印刷装置管理プログラムであって、
分散印刷を行う複数の印刷装置を登録した印刷装置リストを取得する印刷装置リスト取得ステップと、前記印刷装置リスト取得ステップで取得した印刷装置リストに登録されているいずれかの印刷装置に前記回路構成情報記憶手段の回路構成情報を送信する回路構成情報送信ステップとからなる処理を前記コンピュータに実行させるためのプログラムであることを特徴とする印刷装置管理プログラム。
【請求項１３】
書換可能なハードウェア領域を有する回路素子と、印刷データ処理機能を実現する回路を構成可能な回路構成情報を取得する回路構成情報取得手段と、前記回路構成情報取得手段で取得した回路構成情報に基づいて前記ハードウェア領域を再構成するハードウェア領域再構成手段と、前記回路構成情報取得手段で取得した回路構成情報を他の印刷装置に転送する回路構成情報転送手段とを有する複数の印刷装置と、前記印刷装置に対して印刷を要求する印刷要求装置と、前記印刷データ処理機能を管理する印刷装置管理装置とを通信可能に接続し、前記印刷装置のハードウェア機能を変更して印刷を行うハードウェア機能可変印刷方法であって、
前記印刷要求装置に対しては、
分散印刷を行う複数の前記印刷装置を登録した印刷装置リストを前記印刷装置管理装置に送信する印刷装置リスト送信ステップを含み、
前記印刷装置管理装置に対しては、
前記印刷装置リストを取得する印刷装置リスト取得ステップと、
前記印刷装置リスト取得ステップで取得した印刷装置リストに登録されているいずれかの印刷装置に前記回路構成情報を送信する回路構成情報送信ステップとを含むことを特徴とするハードウェア機能可変印刷方法。